(57)【要約】      （修正有）【課題】特に筺体の組み立て等で筺体の内部側も頻繁に使用されるメールボックスや宅配便ボックスの組み立てに使用するプッシュリベットで、板材同士を固着するため形成されるスリーブ先端部の尖形端部形状の改良を計り、郵便物等を取り出すときに該郵便物を引っ掛けてしまったり、手指に擦過傷を負う危険性を防止する。【解決手段】プッシュリベットは螺子頭形状のリベット頭部９とリベット軸１５、並びにリベット軸１５より直径の小さい軸先端部１６を有しており、該リベット軸１５が嵌挿されるスリーブ３にはスリーブ頭部８に前記リベット嵌合凹部１０を設け、該リベット嵌合凹部１０の中心より前記リベット軸１５が嵌挿されるスリーブ中心孔１１を貫通して設け、該スリーブ中心孔１１の中間部には該スリーブ中心孔１１の内径を狭めた形状の突設部１２を設け、更に該スリーブ中心孔１１の中間部にはスリーブ中心孔１１を中心に対向して十字型に四個所の縦切割溝１４a、１４ｂ、１４ｃ、１４ｄが穿設されている構成となし、リベット２が押圧されリベット頭部９がスリーブ頭部８に設けられたリベット嵌合凹部１０に嵌着されると前記リベット軸１５がスリーブ突設部１２を貫通してスリーブの中間部を膨張せしめ前記板材同士を締結して固着する。【選択図】図２ａ
2006161820.tif 000002
【特許請求の範囲】
【請求項１】
固着する二枚、または複数枚の板材にスリーブ挿入孔を貫通して穿ち、該スリーブ挿入孔に合成樹脂材からなるスリーブを挿入し、該スリーブ頭部からリベットを指先で押圧して嵌挿し片側から前記板材同士の固着を行うプッシュリベットにおいて、
該プッシュリベットは螺子頭形状のリベット頭部とリベット軸、並びにリベット軸より直径の小さい軸先端部を有しており、
該リベット軸が嵌挿される前記スリーブには頭部に前記リベット嵌合凹部を設け、
該リベット嵌合凹部の中心より前記リベット軸が嵌挿されるスリーブ中心孔を貫通して設け、
該スリーブ中心孔の中間部には該スリーブ中心孔の内径を狭めた形状の突設部を設け、
更に該スリーブ中心孔の中間部にはスリーブ中心孔を中心に対向して十字型に四個所の縦切割溝が穿設されている構成となし、
前記リベットが押圧されリベット頭部がスリーブ頭部に設けられたリベット嵌合凹部に嵌着された状態にて前記リベット軸がスリーブ突設部を貫通してスリーブの中間部を膨張せしめ前記板材同士を締結して固着すること、  
を特徴とするプッシュリベット。
【請求項２】
前記リベットがステンレス鋼等の鋼製であること、
を特徴とする請求項１記載のプッシュリベット。
【請求項３】
前記スリーブ中心孔の中間部に穿設される四個所の縦切割溝はスリーブ中心孔を中心に対向して一の字型に穿たれる二本の縦切割溝であること、またはスリーブ中心孔を中心に放射状に設けられた三本の縦切割溝であること、
を特徴とする請求項１記載のプッシュリベット。
【請求項４】
請求項１乃至請求項３の何れかに記載された前記リベットの頭部にはプラス或いはマイナスのドライバー係合溝を刻設し、またリベット軸には雄ねじを螺設し、前記リベット頭部にドライバーを係合して該リベットをスリーブに螺合することでリベットが押圧されリベット頭部がスリーブ頭部に設けられたリベット嵌合凹部に嵌着されると前記リベット軸の雄ねじ部がスリーブ突設部を膨張せしめ前記板材同士を締結して固着すること、
を特徴とする螺合リベット。
【発明の詳細な説明】
【技術分野】
【０００１】
本発明は板材と板材を簡単に締結して固着させるためのプッシュリベットの改良に関するものである。
【０００２】
本発明は、特に固着する二枚、または複数枚の板材にスリーブ挿入孔を貫通して穿ち、該スリーブ挿入孔に合成樹脂材からなるスリーブを挿入し、該スリーブ頭部から鋼製のリベットを指先で押圧して嵌挿し、片側から前記板材の固着が簡単に行える鋼製リベットを用いたプッシュリベットに関するものである。
【０００３】
本発明は、板厚が１．０ｍｍから３．０ｍｍ程度のステンレス、アルミ等の板材を切断、或いは折り曲げ加工して成型部品を製作し、該成型部品を締結、固着して、筺体形状物等を組み立てるためのプッシュリベットであり、該筺体形状物は筺体の内部側も頻繁に使用される製品、即ち、メールボックスや宅配便ボックス、そして新聞受け等を製作するために適した鋼製ピンを用いたプッシュリベットを提供するものである。
【背景技術】
【０００４】
従来のナイロンプッシュリベットは、楔着形式のものから種々改良され、現在非常に使用されている形状になってきた。実公昭４７−３６７６３号公報には、その一例が開示されている。
また、既製品として従来から使用されているナイロンプッシュリベットとして図５に示すものが知られている。
【０００５】
図５の従来例において、図５（a）はナイロンプッシュリベットの全体形状を示す部品図を示しており、図５（ｂ）、図５（ｃ）はその取付状態を示す説明図である。
【０００６】
図５において、５０は従来のナイロンプッシュリベットであり、該ナイロンリベットは５０は、リベット５１、スリーブ５２からなる。５３、５４は互いに締結され固着される板材、５５は該板材５３、５４間に穿設され貫通しているリベット取付孔であり、該リベット取付孔５５には前記ナイロンプッシュリベット５０のスリーブ５２が挿着されており、該スリーブ５２は図５（ｂ）の如く、２枚の板材５３、５４を貫通して先端部５６が突出している。
【０００７】
斯くして、従来例においてはスリーブ５２は適当形状に形成したスリーブ頭部５７から適当深さのスリーブ中心孔５８を穿って胴突５９を形成し、前記スリーブ５２の先端部５６には前記胴突５９よりやや深く四個の縦切割溝６０a、６０ｂ、６０ｃ、６０ｄが設けられ、止片６１a、６１ｂ、６１ｃ、６１ｄが形成されている。
【０００８】
また、前記スリーブ中心孔５８に挿着されるリベット５１は、リベット軸６２を備え、該リベット軸６２の上端には拡大頭部６３を設けて、その径が前記スリーブ頭部５７より大きく形成し、該リベット軸６２の拡大頭部６３の下方に設けられた凹嵌部６４で前記スリーブ頭部５７を覆うように構成されている。
【０００９】
従来例のリベットの使用方法は、図５（ｂ）の如くリベット取付孔５５にナイロンプッシュリベット５０をセットした後に、スリーブ中心孔５８にリベット５１を差し込み、前記拡大頭部６３を指で押し込み、図５（ｃ）の如く十分にリベット５１を差し込むと、前記縦切割溝６０a、６０ｂ、６０ｃ、６０ｄにより形成された止片６１a、６１ｂ、６１ｃ、６１ｄがリベット軸６２の先端で押し曲げられて放射状に拡大変形し、該拡大変形した止片６１a、６１ｂ、６１ｃ、６１ｄとスリーブ頭部５７にて、二枚の板材５３、５４を挟持した状態にて固着するものである。
【００１０】
斯くして、上記、従来例のナイロンプッシュリベットは、簡単に板材同士を固着することができるが、該プッシュリベットは、リベットの先端部が鋭く尖ったように拡大変形することで板材間を締結して固着するために、該先端部の尖形端部は、郵便物等を取り出すときに該郵便物を引っ掛けてしまったり、手指に擦過傷を負う危険性があり、例えば、筺体の内部側も頻繁に使用されるメールボックスや宅配便ボックスの組み立てに使用するには不向きであった。
【００１１】
また、従来のナイロンプッシュリベットは、リベット、スリーブともナイロン製であることからせん断強度がなく、このことは特に薄い板材同士を固着する場合に大きな欠点となり、ナイロンプッシュリベットの利用範囲を限られたものにしている。
【００１２】
更にまた、従来のナイロンプッシュリベットは、リベットの先端部が開いて膨張することで板材間を締結して固着するために薄い板材同士の固着作業にはスペーサーや座金が必要になり、この場合には作業工程が繁雑になっていた。
【特許文献１】実公昭４７−３６７６３号公報
【発明の開示】
【発明が解決しようとする課題】
【００１３】
本発明が解決しようとする課題は、プッシュリベットを用いて筺体等を組み立て、該筺体が内部側をも頻繁に使用されるような、例えば、メールボックスや宅配便ボックスの組み立て等に使用するにあたり、板材同士を締結して固着するために筐体内部側に形成されるスリーブ先端部の尖形端部形状の改良を計り、郵便物等を取り出すときに該郵便物を引っ掛けてしまったり、手指に擦過傷を負う危険性を防止するものである。
【００１４】
また本発明は、スリーブに嵌挿するリベットをステンレス鋼等の鋼製とすることにより、デザイン的に優れたプッシュリベットを提供するばかりか、該鋼製リベットにより、せん断強度を大きくするものである。
【００１５】
更に本発明においては、スリーブの中間部を膨張させる構成により、薄い板厚同士の固着作業ににおいても確実に板材同士を固着することができ、該作業は、スペーサーや座金が不必要で加工作業が効率よくできるプッシュリベットを提供するものである。
【課題を解決するための手段】
【００１６】
本発明は、固着する二枚、または複数枚の板材にスリーブ挿入孔を貫通して穿ち、該スリーブ挿入孔に合成樹脂材からなるスリーブを挿入し、該スリーブ頭部からリベットを指先で押圧して嵌挿し片側から前記板材同士の固着を行うプッシュリベットにおいて、該プッシュリベットは螺子頭形状のリベット頭部とリベット軸、並びにリベット軸より直径の小さい軸先端部を有しており、該リベット軸が嵌挿される前記スリーブには頭部に前記リベット嵌合凹部を設け、該リベット嵌合凹部の中心より前記リベット軸が嵌挿されるスリーブ中心孔を貫通して設け、該スリーブ中心孔の中間部には該スリーブ中心孔の内径を狭めた形状の突設部を設け、更に該スリーブ中心孔の中間部にはスリーブ中心孔を中心に対向して十字型に四個所の縦切割溝が穿設されている構成となし、前記リベットが押圧されリベット頭部がスリーブ頭部に設けられたリベット嵌合凹部に嵌着された状態にて前記リベット軸がスリーブ突設部を貫通してスリーブの中間部を膨張せしめ前記板材同士を締結して固着することを特徴とするプッシュリベットを提供するものである。
【００１７】
また、本発明においては、スリーブの先端部は筒状で縦切割溝が穿設されていないために該スリーブの先端部は開いたり膨張することがなく、丸みをおびた形状にて納まるプッシュリベットを提供するものである。
【００１８】
本発明において、リベットはステンレス鋼等の鋼製で製作されているプッシュリベット、または、螺合リベットである。
【００１９】
また、本発明において、スリーブ中心孔の中間部に穿設される四個所の縦切割溝は、スリーブ中心孔を中心に対向して一の字型に穿たれる二本の縦切割溝であること、またはスリーブ中心孔を中心に放射状に設けられた三本の縦切割溝を設けたプッシュリベットである。
【００２０】
更には、本発明において、リベットの頭部には、プラス或いはマイナスのドライバー係合溝を刻設し、またリベット軸には雄ねじを螺設し、前記リベット頭部にドライバーを係合して該リベットをスリーブに螺合することでリベットが押圧されリベット頭部がスリーブ頭部に設けられたリベット嵌合凹部に嵌着されると前記リベット軸の雄ねじ部がスリーブ突設部を膨張せしめ前記板材同士を締結して固着することを特徴とする螺合リベットをも提供する。
【発明の効果】
【００２１】
斯くして、本発明は、筺体の組み立て、即ち、筺体の内部側も頻繁に使用されるメールボックスや宅配便ボックスの組み立てにプッシュリベットを使用するにあたり、該プッシュリベットが板材同士を締結して固着するため形成されるスリーブ先端部の尖形端部形状の改良を計り、郵便物等を取り出すときにスリーブの先端部で、郵便物を引っ掛けてしまったり、手指に擦過傷を負う危険性を防止することができた。
【００２２】
また本発明は、スリーブに嵌挿するリベットをステンレス鋼等の鋼製とすることにより、デザイン的に優れたプッシュリベットを提供するばかりか、該鋼製リベットにより、せん断強度を大きくすることができた。
【００２３】
更にまた、本発明においては、スリーブの中間部を膨張させる構成により、薄い板厚同士の固着作業ににおいても確実に板材同士を固着することができ、該作業は、スペーサーや座金が不必要で加工作業が効率よくできるプッシュリベットを提供することができた。
【発明を実施するための最良の形態】
【００２４】
本発明は、固着する二枚、または複数枚の板材にスリーブ挿入孔を貫通して穿ち、該スリーブ挿入孔に合成樹脂材からなるスリーブを挿入し、該スリーブ頭部からリベットを指先で押圧して嵌挿し片側から前記板材同士の固着を行うプッシュリベットにおいて、該プッシュリベットは螺子頭形状のリベット頭部とリベット軸、並びにリベット軸より直径の小さい軸先端部を有しており、該リベット軸が嵌挿される前記スリーブには頭部に前記リベット嵌合凹部を設け、該リベット嵌合凹部の中心より前記リベット軸が嵌挿されるスリーブ中心孔を貫通して設け、該スリーブ中心孔の中間部には該スリーブ中心孔の内径を狭めた形状の突設部を設け、更に該スリーブ中心孔の中間部にはスリーブ中心孔を中心に対向して十字型に四個所の縦切割溝が穿設されている構成となし、前記リベットが押圧されリベット頭部がスリーブ頭部に設けられたリベット嵌合凹部に嵌着された状態にて前記リベット軸がスリーブ突設部を貫通してスリーブの中間部を膨張せしめ前記板材同士を締結して固着することを要旨としたプッシュリベットである。
【００２５】
また、本発明においては、スリーブの先端部は、筒状で縦切割溝が穿設されていないために該スリーブの先端部は開いたり膨張することがなく、丸み形状を有するプッシュリベットであることが好ましい。
【００２６】
また、本発明において、リベットは、ステンレス鋼等の鋼製で製作されているプッシュリベット、または、螺合リベットであることが好ましい。
【００２７】
また、本発明において、スリーブ中心孔の中間部に穿設される四個所の縦切割溝は、スリーブ中心孔を中心に対向して一の字型に穿たれる二本の縦切割溝であること、またはスリーブ中心孔を中心に放射状に設けられた三本の縦切割溝を設けていることが好ましい。
【００２８】
更に、本発明のリベットの頭部には、プラス或いはマイナスのドライバー係合溝を刻設し、またリベット軸には雄ねじを螺設し、前記リベット頭部にドライバーを係合して該リベットをスリーブに螺合することでリベットが押圧されリベット頭部がスリーブ頭部に設けられたリベット嵌合凹部に嵌着されると前記リベット軸の雄ねじ部がスリーブ突設部を膨張せしめ前記板材同士を締結して固着する螺合リベットであることも、また好ましい。
【実施例１】
【００２９】
図１は本発明の実施例１を説明する部品図を示しており、図２(a）、図２（ｂ）はその取付状態を示す説明図である。
【００３０】
図１及び図２において、１は本発明のプッシュリベットであり、該プッシュリベットはリベット２とスリーブ３からなる。４、５は互いに締結され固着される板材、６は該板材４、５間に穿設され貫通しているリベット取付孔であり、該リベット取付孔６には、前記スリーブ３が挿着されており、該スリーブ３は、図２（a）の如く二枚の板材４、５を貫通して先端部７が突出している。
【００３１】
また、前記スリーブ３には適当形状に形成されたスリーブ頭部８が設けられており、該スリーブ頭部８の上側には、リベット頭部９のリベット嵌合凹部１０が設けられている。そして、前記スリーブ３の軸芯部にはスリーブ中心孔１１が貫通して設けられており、該スリーブ中心孔１１の中間部には、スリーブ中心孔１１の内径を狭めた形状の突設部１２が設けられている。
【００３２】
更に、前記スリーブ中心孔１１の中間部１３には、スリーブ中心孔１１を中心に対向して十字型に四個所の縦切割溝１４a、１４ｂ、１４ｃ、１４ｄが穿設されている。
【００３３】
而して、前記リベット２は、リベット頭部９の下方にリベット軸１５と該リベット軸１５より直径の小さい軸先端部１６を有しており、作業の準備段階では、図２（a）の如くリベット軸１５が前記スリーブ３のスリーブ中心孔１１に挿着されている。
【００３４】
図２（ｂ）は前記図２(a）の準備作業を進めて、リベット２のリベット頭部９を押圧して、該リベット頭部９がスリーブ３のリベット嵌合凹部１０に嵌着される状態になると、リベット軸１５がスリーブ中心孔１１の突設部１２を貫通して、スリーブ３の中間部に膨張部１７を形成して、前記スリーブ頭部８と膨張部１７にて、板材４、５を締結し、固着する。
実施例１において、前記スリーブ３の先端部７は、筒状で縦切割溝１４a、１４ｂ、１４ｃ、１４ｄが穿設されていないために、該スリーブ３の先端部７は開いた形状にて膨張することがなく丸み形状を有するプッシュリベットに構成することができる。
【００３５】
従って、筺体の組み立て等で、筺体の内部側も頻繁に使用されるメールボックスや宅配便ボックスの組み立てに使用するにあたり、板材４、５同士を締結して固着するため形成されるスリーブ先端部７の尖形端部形状の改良を計り、郵便物等を取り出すときにスリーブ３の先端部７で、郵便物を引っ掛けてしまったり、手指に擦過傷を負う危険性を防止することができる。
【００３６】
また、実施例１においては、プッシュリベット１のスリーブ３に嵌挿するリベット２をステンレス鋼等の鋼製とすることにより、前記リベット頭部９を鏡面仕上等に加工してデザイン的に優れたプッシュリベットを提供することが可能であり、また、該鋼製リベットの採用により、リベット全体のせん断強度を大きくすることができる。
【００３７】
また、実施例１において、スリーブ中心孔１１の中間部に穿設される四個所の縦切割溝１４a、１４ｂ、１４ｃ、１４ｄは、スリーブ中心孔１１を中心に対向して一の字型に穿たれる二本の縦切割溝であること、またはスリーブ中心孔１１を中心に放射状に設けられた三本の縦切割溝を設けることでも、同様の効果を得ることができる。
【実施例２】
【００３８】
図３または図４（a）、図４（ｂ）は実施例２を説明するもので、図３は部品図、図４(a）、図４（ｂ）はその取付状態を示す説明図である。
【００３９】
図３及び図４において、２はリベット、３はスリーブ、４、５は互いに締結され固着される板材、６は該板材４、５間に穿設され貫通しているリベット取付孔であり、該リベット取付孔６には、前記スリーブ３が挿着されており、該スリーブ３は、図４（a）の如く二枚の板材４、５を貫通して先端部７が突出している。
【００４０】
また、前記スリーブ３には適当形状に形成されたスリーブ頭部８が設けられており、該スリーブ頭部８の上側には、リベット頭部９のリベット嵌合凹部１０が設けられている。そして、前記スリーブ３の軸芯部にはスリーブ中心孔１１が貫通して設けられており、該スリーブ中心孔１１の中間部には、スリーブ中心孔１１の内径を狭めた形状の突設部１２が設けられている。
【００４１】
更に、前記スリーブ中心孔１１の中間部１３には、スリーブ中心孔１１を中心に対向して十字型に四個所の縦切割溝１４a、１４ｂ、１４ｃ、１４ｄが穿設されている。
【００４２】
而して、リベット２のリベット頭部９上面にはプラスまたはマイナスドライバー係合溝１８が刻設してあり、該リベット頭部９の下方にリベット軸１５と該リベット軸１５より直径の小さい軸先端部１６を有している。そして前記リベット軸１５には雄ねじ１９が螺設してあり作業の準備段階では、図２（a）の如くリベット軸１５の雄ねじ１８が柔らかい樹脂製のスリーブ中心孔１１に螺着されている。
【００４３】
図４（ｂ）は前記図４(a）の準備作業を進めて、リベット頭部９のドライバー係合溝１８にドライバー（図示せず）を装着してリベット２を螺着して、該リベット頭部９がスリーブ３のリベット嵌合凹部１０に嵌着された状態になると、リベット軸１５がスリーブ中心孔１１の突設部１２に螺着して貫通し、スリーブ３の中間部に膨張部１７を形成して、前記スリーブ頭部８と膨張部１７にて、板材４、５を締結し、固着する。
【００４４】
而して、上記実施例２は、指で押圧して板材間を固着する実施例１のプッシュリベットより、かなり大きな直径を有する螺合リベットを提供することができ、該螺合リベットはドライバーにて、前記板材の固着も任意に解除できる利用範囲の大きい螺合リベットが提供できた。
【産業上の利用可能性】
【００４５】
本発明は、上記構成のプッシュリベット、並びに螺合リベットを提供するもので、特に、本発明は、筺体の組み立て等で、筺体の内部側も頻繁に使用されるメールボックスや宅配便ボックスの組み立てに使用するにあたり、板材同士を締結して固着するため形成されるスリーブ先端部の尖形端部形状の改良を計り、より利用範囲を拡大したもので、その産業上の利用価値は多大なものがある。
【図面の簡単な説明】
【００４６】
【図１】本発明の実施例１を説明する部品図である。
【図２】本発明の実施例１をの動作を説明する要部断面図である。
【図３】本発明の実施例２を説明する部品図である。
【図４】本発明の実施例２をの動作を説明する要部断面図である。
【図５】従来例を説明する部品図、並びに、従来例をの動作を説明する要部断          面図である。
【符号の説明】
【００４７】
１  プッシュリベット
２  リベット
３  スリーブ
４、５  板材
６  リベット取付孔
７  先端部
８  スリーブ頭部
９  リベット頭部
１０  リベット嵌合凹部
１１  スリーブ中心孔
１２  突設部
１３  中間部
１４a、１４ｂ、１４ｃ、１４ｄ  縦切割溝
１５  リベット軸
１６  軸先端部
１７  膨張部
１８  ドライバー係合溝
１９  雄ねじ
５０  ナイロンプッシュリベット
５１  リベット
５２  スリーブ
５３、５４  板材
５５  リベット取付孔
５６  先端部
５７  スリーブ頭部
５８  スリーブ中心孔
５９  胴突
６０a、６０ｂ、６０ｃ、６０ｄ  縦切割溝
６１a、６１ｂ、６１ｃ、６１ｄ  止片
６２  リベット軸
６３  拡大頭部
【図１】
2006161820.tif 000003
【図２ａ】
2006161820.tif 000004
【図２ｂ】
2006161820.tif 000005
【図３】
2006161820.tif 000006
【図４ａ】
2006161820.tif 000007
【図４ｂ】
2006161820.tif 000008
【図５ａ】
2006161820.tif 000009
【図５ｂ】
2006161820.tif 000010
【図５ｃ】
2006161820.tif 000011